(57)【要約】【課題】  雷電流がガス管網に流れたとしても、ガスの安全な供給を確保することのできるガス遮断装置を提供する。【解決手段】  落雷により、遮断弁１１に連通するガス管網２、３に発生する雷電流又は前記雷電流により誘起される電気的な変化を検出して落雷検出信号を出力する落雷検出手段１３と、落雷検出信号に基づいて遮断弁１１を遮断作動させる遮断制御手段１２とを備えるガス遮断装置。【選択図】        図１
2006275767.tif 000002
【特許請求の範囲】
【請求項１】
落雷により、遮断弁に連通するガス管網に発生する雷電流又は前記雷電流により誘起される電気的な変化を検出して落雷検出信号を出力する落雷検出手段と、
前記落雷検出信号に基づいて前記遮断弁を遮断作動させる遮断制御手段とを備えるガス遮断装置。
【請求項２】
前記落雷検出手段は、前記雷電流又は前記雷電流により誘起される電気的な変化を検出する検出端子と前記落雷検出信号を出力する出力端子とを備え、
前記検出端子は前記ガス管網を構成する導電性ガス管部材と電気的に接続され、前記出力端子は前記遮断制御手段の遮断弁制御入力端子と電気的に接続される請求項１記載のガス遮断装置。
【請求項３】
前記ガス管網が前記導電性ガス管部材と導電性ワイヤを有する絶縁性ガス管部材とを組み合わせて構成され、
前記雷電流又は前記雷電流により誘起される電気的な変化、若しくは、前記落雷検出信号は、前記絶縁性ガス管部材が配管されている部分では、前記導電性ワイヤを介して伝送される請求項２記載のガス遮断装置。
【請求項４】
前記導電性ガス管部材は、導電性のコルゲート管の外周面に絶縁性塗覆装が形成されている請求項２又は３記載のガス遮断装置。
【請求項５】
前記落雷検出手段が、アレスタを用いて構成される請求項１〜４の何れか一項に記載のガス遮断装置。
【請求項６】
請求項１〜５の何れか一項に記載のガス遮断装置を備えたガスメータ。
【請求項７】
ガス管網におけるガスの通流を遮断可能な遮断弁と、落雷により前記ガス管網に発生する雷電流又は前記雷電流により誘起される電気的な変化を検出して落雷検出信号を出力する落雷検出手段と、前記落雷検出信号に基づいて前記遮断弁を遮断作動させる遮断制御手段とを備え、前記ガス管網からガス消費機器にガスを供給するガス供給設備。
【発明の詳細な説明】
【技術分野】
【０００１】
本発明は、落雷に対するガス管網の安全性を確保するためのガス遮断装置、ガスメータ、及び、ガス供給設備に関する。
【背景技術】
【０００２】
地中にはガスや水などを建物内へ供給するための様々な種類の配管が埋設されている。各種配管によって構成されるガス管網は、道路の下などに埋設された本支管（外管）を介して各建物の敷地内へガス管網として引き込まれ、ガス流量を計測するガスメータや水道使用量を計測する水道メータを介して更に建物内に引き込まれている。ガスメータの下流側のガス管網は、鋼管、鋳鉄管、ステンレス製フレキシブル管（以下、単に「フレキシブル管」と記載する）、ポリエチレン管や継手などの導電性又は絶縁性ガス管部材を任意に組み合わせて構成される。例えば、ガスメータから建物内までのガス管網がフレキシブル管（及び継手）のみによって構成されている場合、ガスメータから建物内のガス管網は電気的に導通した状態となっている。
【０００３】
ガス配管用のフレキシブル管としては、図２に例示するように、長さ方向に沿って波形状に形成されたコルゲート管の外周面を絶縁性塗覆装で覆うように構成されたものがある。具体的には、ステンレス（ＳＵＳ３０４）製の厚さ０．２ｍｍのコルゲート管の外周面にポリ塩化ビニル製の厚さ０．７５ｍｍの絶縁性塗覆装を設けたものがある。このように非常に薄く、且つ、波形状に形成されたコルゲート管で構成されるフレキシブル管は容易に折り曲げることができるので、従来のように管同士を連結するエルボなどが不要になり、敷設作業の手間が小さくなるという利点がある。しかし、波形状に形成されたコルゲート管の山部分には電圧が集中し易くなるため、周囲に落雷が発生したときには、地中又は建物内の鉄筋などを流れる高電圧の雷電流が絶縁性塗覆装を破壊してコルゲート管の山部分を通って流れると共に、コルゲート管自体に損傷が発生する可能性もある。
【０００４】
このようなフレキシブル管の落雷対策として、コルゲート管の外側に導電性の塗覆装を形成し、雷電流がその導電性の塗覆装を流れるようにすることで、コルゲート管には雷電流が流れないようにする方法も提案されている。つまり、この方法では、雷電流によって導電性の塗覆装が損傷を受けても構わないが、コルゲート管には直接の被害が及ばないように考慮されている（例えば、特許文献１参照）。
【０００５】
【特許文献１】特開２００２−１７４３７４号公報
【発明の開示】
【発明が解決しようとする課題】
【０００６】
上述のように、従来は、コルゲート管の外側に導電性の塗覆装を形成する対策が提案されているものの、既に地中などに埋設されているフレキシブル管の全てを掘り返さなければこの対策を行えないため、非常に大きな手間と費用が必要となって実用的ではない。
【０００７】
更に、従来はコルゲート管の採用に対して何ら対策は講じられておらず、例えば、雷電流が流入して絶縁性塗覆装に穴が空く虞があるので改良が必要である。
【０００８】
本発明は、上記の課題に鑑みてなされたものであり、その目的は、雷電流がガス管網に流れたとしても、ガスの安全な供給を確保することのできるガス遮断装置、ガスメータ、及び、ガス供給設備を提供する点にある。
【課題を解決するための手段】
【０００９】
上記目的を達成するための本発明に係るガス遮断装置の特徴構成は、落雷により、遮断弁に連通するガス管網に発生する雷電流又は前記雷電流により誘起される電気的な変化を検出して落雷検出信号を出力する落雷検出手段と、前記落雷検出信号に基づいて前記遮断弁を遮断作動させる遮断制御手段とを備える点にある。
【００１０】
上記特徴構成によれば、落雷検出手段が、落雷により、遮断弁に連通するガス管網に発生する雷電流又は前記雷電流により誘起される電気的な変化（例えば、設定値以上の高電圧）を検出して落雷検出信号を出力し、遮断制御手段が、落雷検出信号に基づいて遮断弁を遮断作動させるので、落雷によってガス管網に雷電流による過電圧が発生したときには遮断弁の下流側にはガスが通流しないようになる。つまり、遮断弁が遮断作動してガスの使用を不能にすることで、高電圧の雷電流によってガス管網の塗覆装又はガス管網の金属部分に対して損傷が発生したままガスの供給が継続されないようにして、ガスの安全な供給を確保するための対策を講じることが可能になる。
【００１１】
本発明に係るガス遮断装置の特徴構成は、前記落雷検出手段は、前記雷電流又は前記雷電流により誘起される電気的な変化を検出する検出端子と前記落雷検出信号を出力する出力端子とを備え、前記検出端子は前記ガス管網を構成する導電性ガス管部材と電気的に接続され、前記出力端子は前記遮断制御手段の遮断弁制御入力端子と電気的に接続される点にある。
【００１２】
上記特徴構成によれば、ガス管網を構成する導電性ガス管部材に対して落雷検出手段の検出端子を電気的に接続すれば、落雷による雷電流又はその雷電流により誘起される電気的な変化を検出できるようになる。また、落雷検出手段の検出端子の接続場所はガス管網中の導電性部分であればよいので、落雷検出手段の検出端子の接続場所の選定の自由度は高い。
【００１３】
本発明に係るガス遮断装置の特徴構成は、前記ガス管網が前記導電性ガス管部材と導電性ワイヤを有する絶縁性ガス管部材とを組み合わせて構成され、前記雷電流又は前記雷電流により誘起される電気的な変化、若しくは、前記落雷検出信号は、前記絶縁性ガス管部材が配管されている部分では前記導電性ワイヤを介して伝送される点にある。
【００１４】
上記特徴構成によれば、ガス管網中に電気を流さない絶縁性の部分が存在していたとしても、ガス管網中のその部分では、ガス管網を構成する絶縁性ガス管部材に設けられた導電性ワイヤを用いて、ガス管網に発生する雷電流又は雷電流により誘起される電気的な変化、若しくは、落雷検出信号の伝送が行えるようになる。その結果、落雷検出手段の検出端子及び、出力端子の接続場所の自由度が高まる。
【００１５】
本発明に係るガス遮断装置の特徴構成は、前記導電性ガス管部材は、導電性のコルゲート管の外周面に絶縁性塗覆装が形成されている点にある。
【００１６】
上記特徴構成によれば、ガス管網が、容易に折り曲げ可能であり、且つ、導電性を有するコルゲート管を用いて構成されるので、折り曲げ不可能な直管や曲管と継手とを組み合わせてガス管網を構成する場合に比べて、敷設作業が容易になる。
【００１７】
本発明に係るガス遮断装置の特徴構成は、前記落雷検出手段が、アレスタを用いて構成される点にある。
【００１８】
上記特徴構成によれば、落雷検出手段が、落雷による雷電流のような高電圧の電流が発生したときにのみ導通する、つまり、落雷検出信号を出力するアレスタを用いて構成されるので、落雷による雷電流又はその雷電流により誘起される電気的な変化を適正に検出することができる。
【００１９】
上記目的を達成するための本発明に係るガスメータの特徴構成は、上記ガス遮断装置を備えた点にある。
【００２０】
上記特徴構成によれば、ガスメータに連通するガス管網に落雷による雷電流又はその雷電流により誘起される電気的な変化が発生したときに、確実にガスの通流を遮断できるガスメータを提供することができる。
【００２１】
上記目的を達成するための本発明に係るガス供給設備の特徴構成は、ガス管網におけるガスの通流を遮断可能な遮断弁と、落雷により前記ガス管網に発生する雷電流又は前記雷電流により誘起される電気的な変化を検出して落雷検出信号を出力する落雷検出手段と、前記落雷検出信号に基づいて前記遮断弁を遮断作動させる遮断制御手段とを備え、前記ガス管網からガス消費機器にガスを供給する点にある。
【００２２】
上記特徴構成によれば、落雷により、ガス管網に雷電流又は前記雷電流により誘起される電気的な変化が発生したとき、上記遮断弁を遮断作動させて、確実にガスの通流を遮断できるガス供給設備を提供することができる。
【発明を実施するための最良の形態】
【００２３】
＜第１実施形態＞
図１に示すのは、ガス使用者宅２０の敷地内に引き込まれたガス管網２、３の途中にガスメータ１０Ａが設けられ、ガス使用者宅２０に都市ガス、ＬＰＧ（液化石油ガス）などのガスの供給が行われるガス供給設備の模式図である。本実施形態では、ガス管網３はガス配管３ａとガスメータ入側継手３ｂとで構成され、ガス管網２はガスメータ出側継手２ａ、ガス配管２ｂ、ヘッダ２ｃ、ガス配管２ｄ、及び、ガス使用者宅２０内に設置されたガスコンセントまでのガス配管（図示せず）で構成される。
【００２４】
図２に示すように、ガス配管２ｂ及びガス配管２ｄは、ステンレスなどの金属管が長さ方向に沿って波形状に構成された導電性のコルゲート管４の外周面に、樹脂などの絶縁性塗覆装５が形成されたものであり、フレキシブル管と呼ばれることもある。この絶縁性塗覆装５は、コルゲート管４を保護して損傷や腐食を避けるために設けられている。ガスメータ出側継手２ａ、ガス配管２ｂ内のコルゲート管４、ヘッダ２ｃ、及び、ガス配管２ｄ内のコルゲート管４は何れも導電性ガス管部材であり、これらは互いに電気的に導通した状態となっている。
【００２５】
図１に示したようなガス供給設備において、ガス使用者宅２０に落雷があったとき、ガス使用者宅２０内に設けられている鉄筋などの導電性部材２１を介して、落雷による高電圧の雷電流が地中を流れる。そして、地中を流れる雷電流はガス配管２ｂに流れ込む可能性がある。具体的には、図２に示したようにガス配管２ｂは、コルゲート管４の外周面に絶縁性塗覆装５が形成されているものの、絶縁性塗覆装５の外側と、コルゲート管４との間に大きい電位差が発生すると、絶縁破壊によって絶縁性塗覆装５が破れ、雷電流がコルゲート管４に流れる可能性がある。その結果、絶縁性塗覆装５が破れた部位（図１中に×印で示す）のコルゲート管４に腐食が発生する可能性が高まる。或いは、雷電流がコルゲート管４に流れるときに、コルゲート管４に損傷が発生する可能性もある。
【００２６】
そのため、図１に示すガスメータ１０Ａは、ガス使用者宅２０やその周囲に落雷があり、ガス管網２、３においてその落雷による雷電流又は前記雷電流により誘起される電気的な変化（例えば、設定値以上の高電圧や、絶縁部において絶縁破壊が発生することによる抵抗変化（例えば、絶縁状態から導通状態への抵抗変化）など）が発生したとき、ガス管網におけるガスの通流を遮断させるガス遮断装置として動作するように構成されている。つまり、落雷による雷電流によって絶縁性塗覆装５に損傷が発生したこと、又は、コルゲート管４に損傷が発生している可能性があることを検出して、その後の安全なガスの供給が実施されるように構成されている。
【００２７】
ガスメータ１０Ａは、落雷により、遮断弁１１に連通するガス管網２、３に発生する雷電流又は前記雷電流により誘起される電気的な変化を検出して落雷検出信号を出力する落雷検出手段１３と、その落雷検出信号に基づいて遮断弁１１を遮断作動させる遮断制御手段１２とを備える。
【００２８】
落雷検出手段１３はアレスタを用いて構成することができ、雷電流により誘起される過電圧を検出する検出端子１３ａと、上記落雷検出信号を出力する出力端子１３ｂとを備える。アレスタは、検出端子１３ａと出力端子１３ｂとの間の電位差が設定電位差以上になると導通するように構成されているので、雷電流が検出端子１３ａに流入して高電位になったときにのみ、出力端子１３ｂに電流が流れることになる。そして、出力端子１３ｂに流れる電流が上記落雷検出信号となる。落雷検出手段１３は、アレスタや抵抗器などを含む電気回路として構成してもよい。また、落雷検出手段１３の検出端子１３ａは、導電性ワイヤ１４を介してガス管部材２ａ（ガス管網）と電気的に接続され、落雷による雷電流がガス管網のどこに流れたとしても確実に検出可能に構成されている。
【００２９】
また、落雷によってガス管網２、３に流れる雷電流の電圧は、どのような場所に落雷が発生したのか、雷電流がどのような経路を経てガス管網へ流れたのか等によって変化するので、落雷検出手段１３における検出端子１３ａと出力端子１３ｂとの間が導通するときの設定電圧は適宜設定する必要がある。
【００３０】
遮断制御手段１２は、落雷検出手段１３から落雷検出信号を受け取る遮断弁制御入力端子１２ａと、遮断弁１１に対して遮断信号を出力する遮断信号出力端子１２ｂとを備える。遮断制御手段１２は、地震の揺れの検知結果やガス使用状況の監視結果に基づいて遮断弁１１を遮断作動させる演算処理装置がガスメータ１０Ａに搭載されている場合、その演算処理装置を用いて実現することができる。例えば、上記アレスタ（落雷検出手段１３）の出力端子１３ｂから出力された落雷検出信号は、演算処理装置の入力端子（遮断弁制御入力端子１２ａ）に入る。そして、演算処理装置（遮断弁制御手段１２）は、遮断弁１１を遮断作動させるための遮断信号を生成して、遮断信号出力端子１２ｂから遮断弁１１へ伝達する。
【００３１】
以上のようなガスメータ１０Ａが設けられているガス供給設備において、雷電流がガス管網に流れたとき、落雷検出手段１３が、雷電流又は前記雷電流により誘起される電気的な変化を検出して落雷検出信号を出力し、遮断制御手段１２が、その落雷検出信号に基づいて遮断弁１１を遮断作動させることになる。その結果、ガスメータ１０Ａの下流側のガス管網２へのガスの通流が遮断されるので、ガス使用者宅２０の住人又はガス供給会社などは、落雷による雷電流によってガス管網の絶縁性塗覆装に損傷が発生したこと、更に、ガス管網を構成するコルゲート管などの金属部分に損傷が発生している可能性を認識することができる。
【００３２】
＜第２実施形態＞
第２実施形態のガスメータ１０Ｂを備えたガス供給設備は、落雷検出手段１３がメータ本体と別に設けられている点で上記第１実施形態のガスメータ１０Ａを備えたガス供給設備と異なる。以下に第２実施形態のガスメータ１０Ｂを備えたガス供給設備について図３を参照して説明するが、第１実施形態と同様の構成については説明を省略する。
【００３３】
図３に示すように、ガスメータ１０Ｂは、ガス管網２における都市ガス、ＬＰＧなどのガスの通流を遮断可能な遮断弁１１と、落雷検出信号に基づいて遮断弁１１を遮断作動させる遮断制御手段１２とを備える。そして、ガスメータ１０Ｂとは別に、落雷により、ガス管網に発生する雷電流又は前記雷電流により誘起される電気的な変化（例えば、設定値以上の高電圧）を検出して落雷検出信号を出力する落雷検出手段１３が設けられている。つまり、第２実施形態のガス供給設備は、遮断弁１１と遮断制御手段１２とを備えた既存のガスメータに対して落雷検出手段１３を追加で設けることで、ガス管網に雷電流が流れたときのガス遮断機能を実現させている。
また、落雷検出手段１３の検出端子１３ａがガス管網と電気的に接続され、且つ、落雷検出信号を出力する落雷検出手段１３の出力端子１３ｂがガスメータ１０Ｂに設けられた遮断制御手段１２の遮断弁制御入力端子１２ａと電気的に接続されていれば、落雷検出手段１３の設置場所は特に限定されない。
【００３４】
＜別実施形態＞
＜１＞
上記第１及び第２実施形態では、ガス管網２を構成するガスメータ出側継手２ａ、ガス配管２ｂ内のコルゲート管、ヘッダ２ｃ、及び、ガス配管２ｄ内のコルゲート管が互いに電気的に導通する導電性ガス管部材を用いて構成されている場合について説明したが、これらの間に絶縁性ガス管部材が介装されていても構わない。以下に図面を参照して説明するが、上記実施形態と同様の構成については説明を省略する。
【００３５】
図４に示すガス供給設備において、ガスメータ１０Ａの下流側のガス管網２は、ガスメータ出側継手２ａ、図２に示したのと同様のフレキシブル管を用いたガス配管２ｂ、ポリエチレンなどの絶縁性材料を用いて構成された絶縁性ガス管部材としてのガス配管２ｅ、図２に示したのと同様のフレキシブル管を用いたガス配管２ｆ、ヘッダ２ｃ、及び、図２に示したのと同様のフレキシブル管を用いたガス配管２ｄを用いて構成されている。
【００３６】
また、ガス配管２ｅは、埋設位置探知用のロケーティングワイヤ（導電性ワイヤ）１５を長さ方向に沿って備えている。ロケーティングワイヤ１５は、渡り線１５ａによって導電性の継手１６と電気的に接続され、且つ、渡り線１５ｂによって導電性の継手１７と電気的に接続されている。従って、ガスメータ出側継手２ａ、ガス配管２ｂ内のコルゲート管、継手１６、渡り線１５ａ、ロケーティングワイヤ１５、渡り線１５ｂ、継手１７、ガス配管２ｆ内のコルゲート管、ヘッダ２ｃ、及び、ガス配管２ｄ内のコルゲート管は何れも導電性であり、これらは互いに電気的に導通した状態となっている。従って、落雷による雷電流又はその雷電流により誘起される電気的な変化は、ロケーティングワイヤ１５を介してガス配管２ｂ内のコルゲート管側へ伝送される。
【００３７】
このように構成されたガス供給設備において、ガス使用者宅２０やその周囲に落雷があり、その落雷による雷電流がガス管網（図４では、ガス配管２ｆ内のコルゲート管）に流れたとき、ガスメータ１０Ａの落雷検出手段１３は、ガス配管２ｂ内のコルゲート管及びガスメータ出側継手２ａと電気的に接続された導電性ワイヤ１４を介して落雷による雷電流又は前記雷電流により誘起される電気的な変化を検出して落雷検出信号を出力する。そして、遮断制御手段１２は、その落雷検出信号に基づいて遮断弁１１を遮断作動させる。
【００３８】
＜２＞
上記別実施形態では、落雷による雷電流又はその雷電流により誘起される電気的な変化がロケーティングワイヤ１５を介して伝送される例について説明したが、図５に示すように、落雷検出手段１３の出力端子１３ｂから出力された落雷検出信号がロケーティングワイヤ１５を介して伝送されるように構成してもよい。
【００３９】
図５に示すガスメータ１０Ｂを備えたガス供給設備において、落雷検出手段１３は、ヘッダ２ｃを通流する雷電流又はその雷電流により誘起される電気的な変化を検出するように、検出端子１３ａをヘッダ２ｃに接続している。ガスメータ１０Ｂの下流側のガス管網２は、図４に示したのと同様に、ガスメータ出側継手２ａ、ガス配管２ｂ、ガス配管２ｅ、ガス配管２ｆ、ヘッダ２ｃ、及び、ガス配管２ｄを用いて構成されている。そして、落雷検出手段１３の落雷検出信号を出力する出力端子１３ｂは、渡り線１５ｃを用いて、ガス配管２ｅに設けられたロケーティングワイヤ１５に接続され、そのロケーティングワイヤ１５は、渡り線１５ｄを用いて、ガスメータ１０Ｂの遮断制御手段の遮断弁制御入力端子１２ａに接続される。但し、渡り線１５が地上に引き出されているときには、その渡り線１５を、上記渡り線１５ｃ及び上記渡り線１５ｄの代わりに用いてもよい。
【００４０】
以上のようなガスメータ１０Ｂが設けられているガス供給設備において、雷電流がガス管網２に流れたとき、落雷検出手段１３が、ガス管部材２ｃを介して、落雷による雷電流又は前記雷電流により誘起される電気的な変化を検出して落雷検出信号を出力し、遮断制御手段１２が、渡り線１５ｃ、ロケーティングワイヤ１５、及び、渡り線１５ｄを介して伝送される落雷検出信号に基づいて遮断弁１１を遮断作動させることになる。その結果、ガスメータ１０Ｂの下流側のガス管網２へのガスの通流が遮断されるので、雷電流がガス管網２に流れたときにガス管網２の塗覆装又はガス管網２の金属部分に対して損傷が発生したままガスの供給が継続されないようにすることができる。
【００４１】
＜３＞
上記実施形態及び別実施形態では、ガス管網２の導電性ガス管部材がフレキシブル管である場合について説明したが、ガス管網２が鋼管を用いて構成されている場合、鋳鉄管を用いて構成されている場合、それらとステンレス製フレキシブル管、導電性の継手などとが組み合わさって互いに電気的に接続されたものであってもよい。
【００４２】
＜４＞
落雷検出手段１３の設置場所は、上記実施形態及び別実施形態において説明した以外の場所でもよい。例えば、図３に示した落雷検出手段１３がヘッダ２ｃ付近に設置され、検出端子１３ａがヘッダ２ｃに接続され、且つ、出力端子１３ｂが導電性ワイヤを用いて遮断制御手段１２の遮断弁制御入力１２ａに接続されるように構成してもよい。
【００４３】
＜５＞
上記実施形態及び別実施形態では、ガスメータ１０Ａ又はガスメータ１０Ｂが遮断弁１１を備えている場合について説明したが、遮断弁１１がガスメータ以外のガス遮断装置に設けられていてもよい。また、遮断弁１１がガス管網２、３中に複数個設けられ、雷電流がガス管網２、３を流れたときには夫々の遮断弁１１が遮断作動するように構成してもよい。
【００４４】
＜６＞
上記実施形態及び別実施形態では、落雷検出手段１３がアレスタを用いて構成される場合について説明したが、雷電流がガス管網２、３に流れたことを、雷電流又はその雷電流により誘起される電気的な変化（例えば、上述のような電圧変化、抵抗変化など）などで検出でき、且つ、遮断制御手段に対して落雷検出信号を出力可能であれば、雷防護素子などの他の装置を用いて構成してもよい。
【００４５】
＜７＞
上記実施形態及び別実施形態では、遮断制御手段１２が落雷検出信号に基づいて遮断弁１１を遮断作動させることについて説明したが、遮断制御手段１２が更に別の動作を行うように改変してもよい。例えば、遮断制御手段１２が、遮断弁１１を遮断作動させたことをガス使用者宅２０やガス供給事業者などの他の者に対して通信線（図示せず）を介して自動通報するように構成してもよい。このように構成することで、ガス管網２、３が落雷によって影響を受けた可能性及び遮断弁１１が遮断作動されたことをガス使用者やガス供給事業者などに認識させることができる。
【産業上の利用可能性】
【００４６】
本発明のガス遮断装置、ガスメータ、及び、ガス供給設備は、ガス使用者宅に設けられている遮断弁に連通するガス管網に落雷による雷電流が流れたとき、ガス管網における都市ガス、ＬＰＧなどのガスの通流を確実に遮断することができる。
【図面の簡単な説明】
【００４７】
【図１】第１実施形態のガス供給設備の模式図
【図２】ガス配管の部分断面図
【図３】第２実施形態のガス供給設備の模式図
【図４】別実施形態のガス供給設備の模式図
【図５】別実施形態のガス供給設備の模式図
【符号の説明】
【００４８】
２  ガス管網
３  ガス管網
１１  遮断弁
１２  遮断制御手段
１３  落雷検出手段
【図１】
2006275767.tif 000003
【図２】
2006275767.tif 000004
【図３】
2006275767.tif 000005
【図４】
2006275767.tif 000006
【図５】
2006275767.tif 000007